(57)【特許請求の範囲】
【請求項１】
第１画素単位にコード化されたデータであって、
当該第１画素の濃度を示す第１濃度データと当該第１画素における複数の記録位置の１つを示す第１位相データとから構成される第１画像データを、主走査方向に前記第１画素の複数倍の画素密度である第２画素単位にコード化された複数の第２画像データに変換するデータ変換手段と、
前記第２画像データに応じて駆動電流を変調して出力する変調手段と、
前記駆動電流により駆動され、出力するレーザ光により感光体上に潜像を記録するレーザダイオードとを備え、
前記第２画像データは前記第２画素の濃度を示す第２濃度データと前記第２画素における記録位置として当該第２画素内の主走査方向に対して前側位置または後側位置のいずれか一方を示す第２位相データとから構成され、
前記データ変換手段は、前記第１画像データと等価となるように、前記複数の第２画像データの第２濃度データおよび第２位相データを組み合わせて変換し、
前記変調手段は、前記第２画像データの第２濃度データに応じたパルス幅と、第２位相データに応じた記録位置に従って前記駆動電流を変調することを特徴とする画像形成装置。
【請求項２】
前記データ変換手段は、前記複数の第２画像データのうち、前記第１画素の中央より前記主走査方向の前側に相当する第２画像データは前記第２位相データを前記後側位置を示すデータとし、前記第１画素の中央より前記主走査方向の後側に相当する第２画像データは前記第２位相データを前記前側位置を示すデータとするように変換を行うことを特徴とする請求項１記載の画像形成装置。
【発明の詳細な説明】
【０００１】
【発明の属する技術分野】
本発明は、レーザプリンタ，デジタル複写機，ファクシミリ装置等のレーザを用いた書込光学系をを搭載した画像形成装置に関するものである。
【０００２】
【従来の技術】
従来のこの種の画像形成装置における一例として、図12に示すように構成されたデジタル複写機を用いて説明する。図12において、１はデジタル複写機、２は原稿(図示せず)の印刷画像を読み取り入力する画像読取部、３は画像読取部２で入力される画像データに各種処理を実行する信号処理部、４は信号処理部３から出力される画像データを用紙(図示せず)に印刷出力する画像印刷部である。
【０００３】
デジタル複写機１の画像読取部２はコンタクトガラス５下に、走査方向に細長いライン光源６と反射ミラー７からなる第１走査ユニット８と、一対の反射ミラー９，10からなる第２走査ユニット11とを、速度比が２対１となるように副走査方向に移動自在に支持し、結像光学系12とＣＣＤ(Charge Coupled Device)センサ13とを順次配置した構成となっている。
【０００４】
また、信号処理部３は画像読取部２のＣＣＤセンサ13に接続されたアンプ14にＡ／ＤＣ(Analog/Digital Convertor)15と、画像データに各種処理を実行する画像処理部16と、外部機器Ｉ／Ｆ部29からの画像データと画像処理部16からの画像データを選択するセレクタ28と、画像データを一時記憶するバッファメモリ17、およびデータ読み出しの開始タイミングを制御する印刷制御部18、並びに変調コードデータに基づいて画像印刷部４を駆動制御するＬＤ(Laser Diode)変調部19等を順次接続した構成となっている。
【０００５】
さらに、画像印刷部４は信号処理部３のＬＤ変調部19に接続されたＬＤ20の出射光路に、コリメータレンズ21やシリンドカルレンズ22を介して主走査方向に回転自在なポリゴンミラー23の反射面を位置させ、このポリゴンミラー23の主走査光路にｆθレンズ24や反射ミラー25を介して副走査方向に回転自在な感光体ドラム26の被走査面を位置させた構造となっている。なお、この画像印刷部４は前記ポリゴンミラー23の主走査光が感光体ドラム26に入射する直前の位置にフォトセンサからなる同期検知器27が配置されており、この同期検知器27の出力端子が前記信号処理部３の印刷制御部18にフィードバック接続されている。
【０００６】
以上のような構成において、このデジタル複写機１は、原稿から画像読取部２で読み取り入力した画像データあるいは、外部機器Ｉ／Ｆ部29から入力した画像データを画像印刷部４で用紙に印刷出力するようになっており、この過程で画像データを信号処理部３で一時記憶して画像読取部２の入力速度と画像印刷部４の出力速度とを調停するようになっている。
【０００７】
さらに詳細に述べると、原稿から読み取った画像を複写する場合、このデジタル複写機１の画像読取部２は、コンタクトガラス５に載置された原稿の印刷画像を第１，第２走査ユニット８，11で副走査方向に読み取り走査して結像光学系12でＣＣＤセンサ13に結像するので、このＣＣＤセンサ13は、副走査方向に連続する主走査ラインとしてドットマトリクスの画像データを１ラインずつ信号処理部３に出力する。このときＣＣＤセンサ13は、１ラインの画像データをライン同期信号ＬＳＹＮＣによりアドレスをリセットしてから所定の画素クロックで主走査方向に１画素ずつ出力することになり、この画像データは、第１，第２走査ユニット８，11の走査速度やＣＣＤセンサ13の読み取り周期などに起因した所定のライン周期で信号処理部３に１ラインずつ出力される。
【０００８】
次に、信号処理部３では、１ラインずつ入力される画像データをアンプ14で増幅してＡ／ＤＣ15でアナログ値からデジタル値に変換し、画像処理部16で明度補正処理や変倍処理や編集処理などの各種処理を実行し、複数ビットの濃度データ(階調数)と位相コードからなる多値画像データとして、セレクタ28を介してバッファメモリ17に入力される。後述するように、このバッファメモリ17に印刷制御部18がタイミング制御信号を出力するので、このタイミング制御信号に従ってバッファメモリ17の画像データが印刷制御部18に読み出される。この印刷制御部18は、画像データが入力されると、範囲制限やパターン合成などの各種処理を実行して、変調コードデータとしてＬＤ変調部19に出力するので、このＬＤ変調部19は、変調コードデータに対応して変調する駆動電流を画像印刷部４のＬＤ20に出力することになる。
【０００９】
また、外部機器からのデータを印刷する場合は、外部機器Ｉ／Ｆ部29から画像データがセレクタ28を介してバッファメモリ17に入力され、あとは前記した複写動作と同様な動作で、変調コードデータに応じてＬＤ20が駆動される。
【００１０】
ＬＤ変調部19は、感光体ドラム26への書き込み開始位置を左右両方向から制御可能として選択切り換えに使用し、パルス幅変調方式(レーザダイオードの発光時間を変調する方式)をとっていたり、パワー変調方式(レーザダイオードの発光パワーを変調する方式)をとっていたり、あるいはその両方を組み合わせた変調方式をとっている。
【００１１】
変調コードデータは、１画素に対応する時間にＬＤ20が発光するパターンを示す信号で、例えば、８ビットの濃度データと、１ビットの位相コードからなる。濃度データはＬＤ20が発光する時間あるいはエネルギーの割合(以下、デューティという)を示す。位相コードは１画素の時間内のＬＤ20の発光タイミングを示す。例えば、左から右に主走査を行う画像形成装置の場合、１画素を走査する時間内に早いタイミングでＬＤ20を点灯すると、左側に片寄ったドットが形成され、逆に１画素の時間内に遅いタイミングでＬＤ20を点灯すると、右側に片寄ったドットが形成される。
【００１２】
そして、この画像印刷部４では、変調コードデータに対応して駆動されるＬＤ20の出射光を各種レンズ21，22で収束してポリゴンミラー23で偏向走査し、この走査光をfθレンズ24で補正して感光体ドラム26の副走査方向に移動する被走査面に結像する。そこで、この感光体ドラム26の被走査面にドットマトリクスの静電潜像が形成されるので、これをトナー(図示せず)で現像して用紙に転写することで画像印刷が実行される。
【００１３】
ここで、この画像印刷部４では、ポリゴンミラー23の主走査光が感光体ドラム26の直前に入射する同期検知器27が同期検知信号ＤＥＴＰを出力するので、これが入力される信号処理部３の印刷制御部18がバッファメモリ17にタイミング制御信号を出力するようになっている。このタイミング制御信号は、転写する用紙のサイズやレジスト調整値によりタイミングを変更し、このようにすることで、信号処理部３のバッファメモリ17で一時記憶された画像データは、画像印刷部４の印刷出力に適正なタイミングで順次読み出されることになる。
【００１４】
ＬＤ変調において、前記の従来例では、感光体ドラム26への書き込み開始位置を左右両方向から制御可能で、選択切り換えに使用するパルス幅変調方式について述べたが、ドット形成位置の選択において、左右のみならず中央も選ぶことができる変調方式により、より高精細の画像処理の要求もある。
【００１５】
さらには、特開平５−276343号公報に開示されているＰＷＭ信号発生装置では、前記パルス幅変調方式のドット形成位置が左右のみならず、中央にドットを形成することが記載されている。
【００１６】
【発明が解決しようとする課題】
しかしながら、このような構成の画像形成装置は、ドット形成位置を左右および中央からの選択を行うと、位相コードを表すため２ビットが必要となり、変調回路(ＰＷＭ信号発生回路)もそのぶん規模が大きくなる。そのため、変調回路においてドット形成位置は左右からの選択しかサポートできない場合もありえるという問題があった。
【００１７】
本発明は、前記従来技術の問題を解決するものであり、発光タイミングが左右のみ選択可能な変調回路においても、変調回路の規模を大きくすることなく、ドット形成位置を左右からのみならず途中または中央からも選択でき、より高精細な画像処理ができる画像形成装置を提供することを目的とする。
【００１８】
【課題を解決するための手段】
この目的を達成するために、本発明に係る画像形成装置は、第１画素単位にコード化されたデータであって、第１画素の濃度を示す第１濃度データと第１画素における複数の記録位置の１つを示す第１位相データとから構成される第１画像データを、主走査方向に第１画素の複数倍の画素密度である第２画素単位にコード化された複数の第２画像データに変換するデータ変換手段と、第２画像データに応じて駆動電流を変調して出力する変調手段と、駆動電流により駆動され、出力するレーザ光により感光体上に潜像を記録するレーザダイオードとを備えて構成したものである。
【００１９】
前記構成によれば、データ変換手段が出力する変調コードデータの第２画像データは第２画素の濃度を示す第２濃度データと第２画素における記録位置として第２画素内の主走査方向に対して前側位置または後側位置のいずれか一方を示す第２位相データとから構成され、データ変換手段は、第１画像データと等価となるように、複数の第２画像データの第２濃度データおよび第２位相データを組み合わせて変換し、変調手段は、第２画像データの第２濃度データに応じたパルス幅と、第２位相データに応じた記録位置に従って駆動電流を変調することで、レーザ光による潜像画素のドット形成位置を制御できる。
【００２０】
また、データ変換手段は、複数の第２画像データのうち、第１画素の中央より主走査方向の前側に相当する第２画像データは第２位相データを後側位置を示すデータとし、第１画素の中央より主走査方向の後側に相当する第２画像データは第２位相データを前側位置を示すデータとするように変換を行うことで、中央より左側画素は右側に発光パルスが寄るように制御し、中央より右側画素は左側に発光パルスが寄るように制御することで、左右のみならず中央からもドット形成位置を選択できる。
【００２１】
【発明の実施の形態】
以下、図面を参照して本発明の実施の形態を詳細に説明する。
図１は本発明の一実施の形態における画像形成装置として例示するデジタル複写機の構成図である。ここで、前記従来例を示す図12において説明した同一作用効果の構成部材には同一の符号を付す。図１において、１はデジタル複写機、２は画像読取部、３は信号処理部、４は画像印刷部、30はバッファメモリ17から読み出した画像データを主走査方向に複数倍の画素密度の変調コードデータに変換するデータ変換手段、31は画像印刷部４からの同期検知信号に同期した印刷画素クロックを発生させる印刷画素クロック発生器である。これは、従来例として前記したデジタル複写機１の信号処理部３に、データ変換手段30と印刷画素クロック発生器31を新たに設けたものである。
【００２２】
この信号処理部３は、画像読取部２のＣＣＤセンサ13からの画像データをアンプ14，Ａ／ＤＣ15，画像処理部16により各種処理を実行し、複数ビットの濃度データ(階調数)と位相コードからなる多値画像データを出力する。また、外部機器Ｉ／Ｆ部29や画像処理部16からの画像データをセレクタ28により選択し、バッファメモリ17に一時記憶する。データ変換手段30によりバッファメモリ17から画像データを読み出して、主走査方向に複数倍の画素密度の変調コードデータに変換する。さらに、ＬＤ変調部19は変調コードデータに基づいて画像印刷部４を駆動制御する。また、印刷画素クロック発生器31は画像印刷部４からの同期検知信号に同期した印刷画素クロックを発生し、印刷制御部18，データ変換手段30に入力する。
【００２３】
このデータ変換手段30から出力される変調コードデータの転送レートは、データ変換手段30に入力される画像データの転送レートの複数倍になる。これは後述する出力データに転送クロックを発生して、それを分周して入力データの転送クロックとしてもよいし、入力データの転送クロックを発生して、それを逓倍して出力データの転送クロックとしてもよい。
【００２４】
このように構成された本実施の形態は、原稿から画像読取部２で読み取り入力した画像データあるいは、外部機器Ｉ／Ｆ部29から入力した画像データを画像印刷部４で用紙に印刷出力するようになっており、この過程で画像データを信号処理部３で一時記憶して画像読取部２の入力速度と画像印刷部４の出力速度とを調停するようになっている。
【００２５】
また、外部機器Ｉ／Ｆ部29により、図示しないホストコンピュータから入力された文字コードデータや、グラフィックデータをラスタ展開し、輪郭補正処理等の画像処理を行い、複数ビットの濃度データと位相コードからなる多値画像データを出力する。さらに、画像印刷部４に含まれるＬＤ(レーザダイオード)20を制御するＬＤ変調部19は従来例に示されたように書き込み開始位置を左右両方向から制御可能とした変調方式をとっている。
【００２６】
図２は本実施の形態におけるバッファメモリとデータ変換手段の構成を示すブロック図である。図１に示すセレクタ28からの画像データは、バッファメモリ17に一時記憶される。印刷画素クロック発生器31からデータ変換手段30に入力される印刷画素クロックは、クロック分周手段33で複数分の１に分周され、読出クロックとしてバッファメモリ17に入力される。クロック分周手段33は印刷制御部18で生成されるタイミング選択信号で、分周するタイミングの読出クロックが選択される。バッファメモリ17は、一時記憶された画像データを前記読出クロックに同期してデータ変換回路32に出力する。データ変換回路32では入力された１画素の画像データが主走査方向に複数の画素数のデータになるように変換し、印刷画素クロックに同期し、変調コードデータとして印刷制御部18に出力する。
【００２７】
印刷画素クロックは後述するように、同期検知信号で同期されるが、クロック分周手段33で複数分の１に分周されるため、バッファメモリ17に入力する読出クロックの同期精度は複数倍良くなる。すなわち、本発明のデータ変換を行うことにより、出力される画像の同期精度は複数倍に向上するということである。
【００２８】
図３は本実施の形態における印刷画素クロック発生器を示すブロック図である。また、図４は印刷画素クロックによるタイミングチャートである。図３において、クロック発振器34は、水晶発振器やＰＬＬ周波数シンセサイザによるもので、印刷画素クロックの周波数、あるいは、その複数倍の周波数の源発振クロックを発生するものである。また、クロック同期回路35は、源発振クロックを基に同期検知信号のエッジからクロックエッジ間での時間が概一定な印刷画素クロックを印刷制御部18およびデータ変換手段30に出力する(図１参照)。
【００２９】
また同期の精度は、通常１／４ドット以下の精度が要求され、精度は高いほうが良いが、ハードウエアの簡便さの理由により、１／４の精度のものも少なくない。画素密度が粗い場合は、１／４程度の同期精度では、ドットの位置ずれが目立ってくる。しかし図４に示すタイミングチャートのように、クロック分周手段33の分周比が１／４の場合で、印刷画素クロックを４分周するときに、分周クロック１〜４のうち、どの分周クロックをバッファメモリの読出クロックとして出力するかを選択可能にする。この動作により、主走査方向のドット位置を高精度に、この場合は１／４ドット単位で調整することができる。
【００３０】
図５は本実施の形態におけるＬＤ変調部の構成を示すブロック図である。印刷制御部18から複数ビットの濃度データと位相コードからなる変調コードデータが転送クロックに同期してパルス変調回路36に入力され、パルス変調回路36により変調コードデータに応じたパルスが生成され、ＬＤＯＮ信号としてＬＤ駆動回路37に出力される。ＬＤ駆動回路37はＬＤＯＮ信号に応じてＬＤに電流を流してＬＤを発光させる。本実施の形態ではパルス幅変調の場合を示しているが、本出願人による特開平２−243363号公報に示されたようなパルス幅変調とパワー変調とを組み合わせた変調方式でもよい。
【００３１】
図６は濃度データ，位相コードとＬＤの出力パターンであるドット形成位置の関係を示す図である。図６に示す例では、３ビットの濃度データで０％，25％，50％，75％，100％の５値のデューティのパルス幅(発光パルス)と、１ビットの位相コードで左モードと右モードを切り換え、濃度データはＬＤが発光する時間あるいはエネルギーであるデューティを示す。ここでは、３ビットの濃度データは、０〜４が順番に０％，25％，50％，75％，100％のデューティを表し、濃度データ５〜７は冗長に濃度データ４と同じ100％のデューティを示す。位相コードは１画素の時間内のＬＤの発光タイミングを示す。
【００３２】
左から右に主走査を行う画像形成装置の場合、１画素の時間内の早いタイミングでＬＤを点灯すると、左側に片寄ったドットが形成され(左モード)、逆に１画素の時間内の遅いタイミングでＬＤを点灯すると、右側に片寄ったドットが形成される(右モード)。例えば、位相コードが０のときは左モード、１のときは右モードというように決める。この例の場合、濃度データと位相コードを別々にしているが、０％と100％のデューティの場合、位相コードは意味のないものになるので濃度データと位相コードを分けないで変調コードデータを３ビットのコードとして表してもよい。
【００３３】
また、図７は印刷画素クロックを２分周したときのバッファメモリの読出クロックのタイミングチャートである。この読出クロックで読み出された画像データが、データ変換回路で印刷画素クロックに同期して、左右に分離され２倍の数で２倍の周波数の変調コードに変換される例である。この例では１クロックで１画素を転送する画像データを１クロックで２画素を転送する複数画素の変調コードデータに変換する場合を示したが、１クロックで１画素を転送する画像データを１クロックで複数画素を転送するパラレルインターフェイスの変調コードデータに変換したり、パラレルインターフェイスの画像データを異なったパラレルインターフェイスの変調コードデータに変換するようなこともできる。
【００３４】
次に、図８は本実施の形態における400dpiの９値の画素データを主走査方向に２倍の画素密度、すなわち800dpi相当の変調コードデータに変換する変換テーブル表を示す図である。ここで、主走査方向は左から右で、変換前の画像データは３ビットの濃度データで０％，25％，50％，75％，100％の５値のデューティのパルス幅と、２ビットの位相コードが０，１，２で左モードと右モードおよび中モードを切り換える。また、変換後の変調コードデータは図６で説明した変調コードデータと同じ定義とする。
【００３５】
まず、変換前の位相コードが０の左モードの場合において、変換前の濃度データが０のとき、左画素も右画素も濃度データを０に変換する。位相コードは左モードを割り当てたが、０％と100％のデューティの場合、位相コードは意味のないものとなるのでどちらでもよい。
【００３６】
変換前の濃度データが１のとき、左画素の濃度データを２(デューティ50％)、位相コードは０(左モード)とし、右画素の濃度データは０に変換する(位相コードはどいらでもよい)。
【００３７】
変換前の濃度データが２のとき、左画素の濃度データを４(デューティ100％)とし(位相コードはどちらでもよい)、右画素の濃度データは０に変換する(位相コードはどちらでもよい)。
【００３８】
変換前の濃度データが３のとき、左画素の濃度データを４(デューティ100％)とし(位相コードはどちらでもよい)、右画素の濃度データは２(デューティ50％)、位相コードは０(左モード)に変換する。
【００３９】
変換前の濃度データが４以上のとき、左画素も右画素も濃度データを４(デューティ100％)に変換する(位相コードはどちらでもよい)。
【００４０】
変換前の位相コードが１の右モードの場合も左モードのときと同様に変換を行う。この場合、左画素と右画素，左モードと右モードは入れ替わる。
【００４１】
次に、変換前の位相コードが２の中モードの場合について、変換前の濃度データが０のとき、左画素も右画素も濃度データを０に変換する。位相コードは左画素には右モード、右画素には左モードを割り当てるが、０％と100％のデューティの場合、位相コードは意味のないものとなるのでどちらでもよい。
【００４２】
変換前の濃度データが１のとき、左画素の濃度データを１(デューティ25％)、位相コードは１(右モード)とし、右画素の濃度データは１(デューティ25％)、位相コードは０(左モード)に変換する。
【００４３】
変換前の濃度データが２のとき、左画素の濃度データを２(デューティ50％)、位相コードは１(右モード)とし、右画素の濃度データは２(デューティ50％)、位相コードは０(左モード)に変換する。
【００４４】
変換前の濃度データが３のとき、左画素の濃度データを３(デューティ75％)、位相コードは１(右モード)とし、右画素の濃度データは３(デューティ75％)、位相コードは０(左モード)に変換する。
【００４５】
変換前の濃度データが４以上のとき、左画素も右画素も濃度データを４(デューティ100％)に変換する(位相コードはどちらでもよい)。
【００４６】
このような動作をするデータ変換回路は、変換テーブル回路で実現できるがロジックでも簡単に実現できる。
【００４７】
また、前記で説明した変換を式で表すと
変換前の位相コードが左モードの場合
左画素のデューティ(％)＝変換前のデューティ(％)×２
；但し、最大100％
右画素のデューティ(％)＝変換前のデューティ(％)×２−100
；但し、最小０％
位相コード＝０(左モード；左右画素とも)
同様に変換前の位相コードが右モードの場合
左画素のデューティ(％)＝変換前のデューティ(％)×２−100
；但し、最小０％
右画素のデューティ(％)＝変換前のデューティ(％)×２
；但し、最大100％
位相コード＝１(右モード；左右画素とも)
同様に変換前の位相コードが中モードの場合
左画素のデューティ(％)＝変換前のデューティ(％)
右画素のデューティ(％)＝変換前のデューティ(％)
左画素の位相コード＝１(右モード)
右画素の位相コード＝０(左モード)
のようになる。
【００４８】
以上のような変換を行うことにより、400dpiの画像データを通常に印刷する場合と等価の画像を主走査方向に800dpiの条件で印刷することができる。また、変調回路が中モードをサポートしていなくてもドットを中央位置に形成することが可能になる。さらには、変換前の位相コード０，１，２を表す２ビットを変換後は位相コード０，１で表せるため１ビットとすることができる。
【００４９】
また、位相コード２の中モードの画像データを変換する他の例を説明する。図９は400dpiの９値の画像データを２倍の画素密度(800dpi)の５値の濃度データの２画素に変換する変換テーブル表を、図10は400dpiの13値の画像データを３倍の画素密度(1200dpi)の５値の濃度データの３画素に変換する変換テーブル表を、さらに図11は400dpiの17値の画像データを４倍の画素密度(1600dpi)の５値の濃度データの４画素に変換する変換テーブル表を示す図である。
【００５０】
このように、変換前の階調数を増やすことができ、前記図６で説明した変調方式では濃度データが５値であるが、前記図９では９値、図10では13値、図11では17値を、変調回路の５値の濃度データと１ビットの位相コードで表すことができる。但し、画素密度が画像データの奇数倍の場合、位相モードが中モードの変換後のドット形成位置は、低デューティのとき中央ではなく若干左右のどちらかに片寄った位置にドットが形成される(図10参照)。
【００５１】
なお、前記の図９，図10，図11の説明ではドット形成位置として中央から形成するものについて述べたが、変換において左右どちらかに片寄った位置にドットを形成することもできる。
【００５２】
【発明の効果】
以上説明したように、本発明によれば、コード化された変調コードデータに応じてレーザダイオードの発光を変調し、発光タイミングは左右両方向からの制御を選択切り換えられる変調手段と、画像データを主走査方向に複数倍の画素密度の変調コードデータに変換するデータ変換手段により、データ変換手段が出力する変調コードデータで発光タイミングを制御し、レーザ光による潜像画素のドット形成位置を制御できる。
【００５３】
また、データ変換手段が出力する変調コードデータにより、中央より左側画素の変調コードデータは右側に発光パルスが寄るよう(右モード)に制御し、中央より右側画素の変調コードデータは左側に発光パルスが寄るよう(左モード)に制御することで、左右のみならず中央からもドット形成位置を選択でき、より高精細な画像処理ができるという効果を奏する。
【図面の簡単な説明】
【図１】本発明の一実施の形態における画像形成装置として例示するデジタル複写機の構成図である。
【図２】本実施の形態におけるバッファメモリとデータ変換手段の構成を示すブロック図である。
【図３】本実施の形態における印刷画素クロック発生器を示すブロック図である。
【図４】印刷画素クロックによるタイミングチャートである。
【図５】本実施の形態におけるＬＤ変調部の構成を示すブロック図である。
【図６】濃度データ，位相コードとＬＤの出力パターンであるドット形成位置の関係を示す図である。
【図７】印刷画素クロックを２分周したときのバッファメモリの読出クロックのタイミングチャートである。
【図８】本実施の形態における400dpiの９値の画素データを主走査方向に２倍の画素密度の800dpi相当の変調コードデータに変換する変換テーブル表を示す図である。
【図９】本実施の形態における400dpiの９値の画像データを２倍の画素密度(800dpi)の５値の濃度データの２画素に変換する変換テーブル表を示す図である。
【図１０】本実施の形態における400dpiの13値の画像データを３倍の画素密度(1200dpi)の５値の濃度データの３画素に変換する変換テーブル表を示す図である。
【図１１】本実施の形態における400dpiの17値の画像データを４倍の画素密度(1600dpi)の５値の濃度データの４画素に変換する変換テーブル表を示す図である。
【図１２】従来の画像形成装置における一例として示したデジタル複写機の構成図である。
【符号の説明】
１…デジタル複写機、  ２…画像読取部、  ３…信号処理部、  ４…画像印刷部、  30…データ変換手段、  31…印刷画素クロック発生器、  32…データ変換回路、  33…クロック分周手段、  34…クロック発振器、  35…クロック同期回路、  36…パルス変調回路、  37…ＬＤ駆動回路。
【図１】
0003679499.tif 000002
【図２】
0003679499.tif 000003
【図３】
0003679499.tif 000004
【図４】
0003679499.tif 000005
【図５】
0003679499.tif 000006
【図６】
0003679499.tif 000007
【図７】
0003679499.tif 000008
【図８】
0003679499.tif 000009
【図９】
0003679499.tif 000010
【図１０】
0003679499.tif 000011
【図１１】
0003679499.tif 000012
【図１２】
0003679499.tif 000013